(57)【要約】【課題】  従来、記録メディアが装着されていない場合、記録メディアに再生可能なデータが存在しない場合等、ユーザーが記録や再生の意思を明らかに持っていない場合でも省電力処理が働くまでの時間は必ず一定であり、機器の持ち運び時などにユーザーの意図に反して電源が入ってしまった場合には無駄にバッテリーが消費されていた。  本発明は、ユーザーが記録や再生の意思を持ち合わせていないと思われる場合に、より短い時間で省電力処理を働かせる。【解決手段】  ユーザーが記録や再生の意思を持ち合わせていないことを、記録媒体が装着されているかどうか、装着された記録媒体に記録可能かどうか等から判断し、省電力モードが働くまでの時間を通常時よりも短く設定することにより、無駄なバッテリーの消費を抑える。【選択図】  図２
2011044068.tif 000002
【特許請求の範囲】
【請求項１】
外部の情報を取り込み記録媒体に記録する手段、または外部の情報を取り込み外部の機器に配信する手段を有する記録モードと、
前記記録モードで動作しているときに、所定の時間が経過したかどうかを判断する計時手段と、
前記所定の時間が経過した場合に省電力モードへ移行させるモード移行処理手段と、
前記記録モードにおいて可能な記録手段、情報配信手段がすべて利用不可能な場合に、
前記省電力モード移行処理が働くまでの所定の時間を、標準で設定されている時間よりも短く設定することを特徴とする記録装置。
【請求項２】
外部の情報を取り込み記録媒体に記録する手段、または外部の情報を取り込み外部の機器に配信する手段を有する記録モードと、
前記記録モードで動作しているときに、所定の時間が経過したかどうかを判断する計時手段と、
前記所定の時間が経過した場合に省電力モードへ移行させるモード移行処理手段と、
前記記録モードにおいて可能な記録手段、情報配信手段のうち任意の一つ以上が利用不可能な場合に、
前記省電力モード移行処理が働くまでの所定の時間を、標準で設定されている時間よりも短く設定することを特徴とする記録装置。
【請求項３】
記録媒体から情報を再生する手段、または外部の機器から受信した情報を再生する手段を有する再生モードと、
前記再生モードで動作しているときに、所定の時間が経過したかどうかを判断する計時手段と、
前記所定の時間が経過した場合に省電力モードへ移行させるモード移行処理手段と、
前記再生モードにおいて可能な再生手段、受信情報再生手段がすべて利用不可能な場合に、
前記省電力モード移行処理が働くまでの所定の時間を、標準で設定されている時間よりも短く設定することを特徴とする再生装置。
【請求項４】
記録媒体から情報を再生する手段、または外部の機器から受信した情報を再生する手段を有する再生モードと、
前記再生モードで動作しているときに、所定の時間が経過したかどうかを判断する計時手段と、
前記所定の時間が経過した場合に省電力モードへ移行させるモード移行処理手段と、
前記再生モードにおいて可能な再生手段、受信情報再生手段のうち任意の一つ以上が利用不可能な場合に、
前記省電力モード移行処理が働くまでの所定の時間を、標準で設定されている時間よりも短く設定することを特徴とする再生装置。
【請求項５】
前記記録媒体は装置に内蔵されていることを特徴とする請求項１、２に記載の記録装置。
【請求項６】
前記記録媒体は装置に着脱可能であることを特徴とする請求項１、２に記載の記録装置。
【請求項７】
前記記録媒体に情報を記録する手段が利用不可能な場合とは、記録媒体が装着されていない場合であることを特徴とする請求項６に記載の記録装置。
【請求項８】
前記記録媒体に情報を記録する手段が利用不可能な場合とは、記憶媒体に対して前記 記録モードでの記録手段に必要なフォーマットが為されていない場合であることを特徴とする請求項５、６に記載の記録装置。
【請求項９】
前記記録媒体に情報を記録する手段が利用不可能な場合とは、記録媒体の残り記憶容量が所定の容量以下となっている場合であることを特徴とする請求項５、６に記載の記録装置。
【請求項１０】
前記情報配信手段が利用不可能な場合とは、外部の機器の残り記憶容量が所定の容量以下となっている場合であることを特徴とする請求項１、２に記載の記録装置。
【請求項１１】
前記記録媒体は装置に内蔵されていることを特徴とする請求項３、４に記載の再生装置。
【請求項１２】
前記記録媒体は装置に着脱可能であることを特徴とする請求項３、４に記載の再生装置。
【請求項１３】
前記記録媒体から情報を再生する手段が利用不可能な場合とは、記録媒体が装着されていない場合であることを特徴とする請求項１２に記載の再生装置。
【請求項１４】
前記記録媒体から情報を再生する手段が利用不可能な場合とは、記録媒体に再生可能な情報が存在しないことを特徴とする請求項１１、１２に記載の再生装置。
【請求項１５】
前記受信情報再生手段が利用不可能な場合とは、外部の機器に再生可能な情報が存在しないことを特徴とする請求項３，４に記載の再生装置。
【発明の詳細な説明】
【技術分野】
【０００１】
本発明は、外部の情報を取り込み記録する記録装置、および記録された情報を再生する再生装置の省電力制御に関するものである。
【背景技術】
【０００２】
従来、デジタルビデオカメラ等の装置においては、バッテリーの無駄な使用を避けるために、一定時間操作がなされない場合には自動的に電源を切る、またはより電力消費の少ない動作モードに移行する等の省電力制御が行われている。この省電力処理が働くまでの時間は、機器毎にあらかじめ決められた時間であったり、複数の設定時間の中からユーザーがメニュー操作等によって選択的に設定可能であるものが一般的である。
【先行技術文献】
【特許文献】
【０００３】
【特許文献１】特開平１１−１３６８５８号公報
【発明の概要】
【発明が解決しようとする課題】
【０００４】
しかしながら、従来の方法では、例えば記録メディアが装着されていない場合、記録メディアに再生可能なデータが存在しない場合等、ユーザーが記録や再生の意思を明らかに持っていない場合でも省電力処理が働くまでの時間は必ず一定であり、機器の持ち運び時などにユーザーの意図に反して電源が入ってしまった場合には無駄にバッテリーが消費されていた。また、そのような状態で動作し続けてしまうことや、ユーザーに操作意思の無い誤操作が発生することにより、動作環境による機器の破損が発生する可能性もあった。
【０００５】
そこで、本発明は、ユーザーが記録や再生の意思を持ち合わせていないと思われる場合に、より短い時間で省電力処理を働かせ、無駄なバッテリーの消費、機器の破損の発生を抑えることを目的とする。
【課題を解決するための手段】
【０００６】
上述の課題を解決するため、本発明による記録装置は、
外部の情報を取り込み記録媒体に記録する手段、または外部の情報を取り込み外部の機器に配信する手段を有する記録モードと、
前記記録モードで動作しているときに、所定の時間が経過したかどうかを判断する計時手段と、
前記所定の時間が経過した場合に省電力モードへ移行させるモード移行処理手段と、
前記記録モードにおいて可能な記録手段、情報配信手段がすべて利用不可能な場合に、
前記省電力モード移行処理が働くまでの所定の時間を、標準で設定されている時間よりも短く設定することを特徴とする記録装置であり、
外部の情報を取り込み記録媒体に記録する手段、または外部の情報を取り込み外部の機器に配信する手段を有する記録モードと、
前記記録モードで動作しているときに、所定の時間が経過したかどうかを判断する計時手段と、
前記所定の時間が経過した場合に省電力モードへ移行させるモード移行処理手段と、
前記記録モードにおいて可能な記録手段、情報配信手段のうち任意の一つ以上が利用不可能な場合に、
前記省電力モード移行処理が働くまでの所定の時間を、標準で設定されている時間よりも短く設定することを特徴とする記録装置であり、
記録媒体から情報を再生する手段、または外部の機器から受信した情報を再生する手段を有する再生モードと、
前記再生モードで動作しているときに、所定の時間が経過したかどうかを判断する計時手段と、
前記所定の時間が経過した場合に省電力モードへ移行させるモード移行処理手段と、
前記再生モードにおいて可能な再生手段、受信情報再生手段がすべて利用不可能な場合に、
前記省電力モード移行処理が働くまでの所定の時間を、標準で設定されている時間よりも短く設定することを特徴とする再生装置であり、
記録媒体から情報を再生する手段、または外部の機器から受信した情報を再生する手段を有する再生モードと、
前記再生モードで動作しているときに、所定の時間が経過したかどうかを判断する計時手段と、
前記所定の時間が経過した場合に省電力モードへ移行させるモード移行処理手段と、
前記再生モードにおいて可能な再生手段、受信情報再生手段のうち任意の一つ以上が利用不可能な場合に、
前記省電力モード移行処理が働くまでの所定の時間を、標準で設定されている時間よりも短く設定することを特徴とする再生装置であり、
前記記録媒体は装置に内蔵されていることを特徴とする記録装置であり、
前記記録媒体は装置に着脱可能であることを特徴とする記録装置であり、
前記記録媒体に情報を記録する手段が利用不可能な場合とは、記録媒体が装着されていない場合であることを特徴とする記録装置であり、
前記記録媒体に情報を記録する手段が利用不可能な場合とは、記憶媒体に対して前記記録モードでの記録手段に必要なフォーマットが為されていない場合であることを特徴とする記録装置であり、
前記記録媒体に情報を記録する手段が利用不可能な場合とは、記録媒体の残り記憶容量が所定の容量以下となっている場合であることを特徴とする記録装置であり、
前記情報配信手段が利用不可能な場合とは、外部の機器の残り記憶容量が所定の容量以下となっている場合であることを特徴とする記録装置であり、
前記記録媒体は装置に内蔵されていることを特徴とする再生装置であり、
前記記録媒体は装置に着脱可能であることを特徴とする再生装置であり、
前記記録媒体から情報を再生する手段が利用不可能な場合とは、記録媒体が装着されていない場合であることを特徴とする再生装置であり、
前記記録媒体から情報を再生する手段が利用不可能な場合とは、記録媒体に再生可能な情報が存在しないことを特徴とする再生装置であり、
前記受信情報再生手段が利用不可能な場合とは、外部の機器に再生可能な情報が存在しないことを特徴とする再生装置である。
【発明の効果】
【０００７】
本発明によれば、ユーザーが記録や再生の意思を持ち合わせていないことを、記録媒体が装着されているかどうか、装着された記録媒体に記録可能かどうか等から判断し、省電力モードが働くまでの時間を通常時よりも短く設定する。このことにより、機器の持ち運び時などにユーザーの意図に反して電源が入ってしまった場合に、無駄なバッテリーの消費を抑えることが可能である。また想定外の環境で動作し続けてしまうことによる機器の破損、また想定外の環境でユーザーに操作意思の無い誤操作が発生することによる機器の破損を防ぐことが可能である。
【図面の簡単な説明】
【０００８】
【図１】本発明の実施例を示すデジタルビデオカメラのブロック図
【図２】本発明の実施例１におけるビデオカメラの制御方法を示すフローチャート
【図３】本発明の実施例２におけるビデオカメラの制御方法を示すフローチャート
【図４】本発明の実施例３におけるビデオカメラの制御方法を示すフローチャート
【図５】本発明の実施例４におけるビデオカメラの制御方法を示すフローチャート
【発明を実施するための形態】
【０００９】
以下、添付図面を参照して、本発明の好適な実施形態について説明する。
【実施例１】
【００１０】
実施例１では、本発明をデジタルビデオカメラの記録モードに適用した場合について説明を行なう。
【００１１】
図１は本発明を適用したデジタルビデオカメラのブロック図である。同図において、Ｃ１は被写体を映像信号に変換する撮像部、Ｂ１はＣ１の映像信号の処理を行うカメラ映像信号処理回路、Ｂ２はカメラ映像信号処理回路において処理された映像信号の圧縮、記憶媒体から再生された画像データの処理を行う記録再生データ処理回路、Ｂ３は各部の制御を行うシステムコントロール部、Ｖ１は撮影画像の表示や再生画像の表示を行う液晶パネル、ＦＭ１は画像を記録再生するためのカメラ内蔵フラッシュメモリ、Ｄ１は画像を記録再生するための光学ディスク、ＩＦ１はカメラを外部機器に接続するためのＩＥＥＥ１３９４インターフェース、ＳＷ１〜ＳＷ４は様々な操作を受け付けるための操作スイッチである。
【００１２】
本実施例のデジタルビデオカメラの記録モードは、動画を光学ディスクＤ１へ、静止画をカメラ内蔵フラッシュメモリＦＭ１へ記録可能であり、そのどちらも利用出来ない状態となった場合に、ユーザーの記録意図が無いと判断し、省電力モードへ移行するまでの時間を短く設定する。
【００１３】
図２は実施例１のデジタルビデオカメラの制御方法を示すフローチャートである。図２において、デジタルビデオカメラの電源が記録モードでオンにされた場合、または他のモードから記録モードへと切り替えられた場合に、ステップＳ１０１で光学ディスクＤ１が装着されているかが確認される。装着されている場合はステップＳ１０２へ進む。装着されていない場合はディスクへの記録は不可能と判断され、ステップＳ１０４へと進み、内蔵フラッシュメモリＦＭ１に関する確認処理が行われる。
【００１４】
ステップＳ１０２では、現在の記録モードで記録が出来る形式で光学ディスクＤ１がフォーマットされているかの確認が行われる。フォーマットされている場合にはステップＳ１０３へと進み、されていない場合にはディスクへの記録は不可能と判断され、ステップＳ１０４へと進む。
【００１５】
ステップＳ１０３では、光学ディスクＤ１に記録可能な容量が残っているかの判断が行われる。記録可能な容量が残っている場合にはディスクへの記録が可能であると判断し、ステップＳ１０７へと進む。記録可能な容量が残っていない場合にはディスクへの記録は不可能と判断され、ステップＳ１０４へと進む。このときの容量の閾値については、デジタルビデオカメラの設計者が記録されるデータに対して適当な値を予め設定したものでも良いし、ユーザーがメニュー操作等によって選択的に値を設定できるものであってもよいが、本実施例では言及しない。
【００１６】
光学ディスクＤ１への記録が不可能と判断された場合には、ステップＳ１０４にて、現在の記録モードで記録が出来る形式で、内蔵フラッシュメモリＦＭ１がフォーマットされているかの確認が行われる。フォーマットされている場合にはステップＳ１０５へと進み、されていない場合には記録可能な手段は無いと判断され、ステップＳ１０６へと進む。
【００１７】
ステップＳ１０５では、内蔵フラッシュメモリＦＭ１に記録可能な容量が残っているかの判断が行われる。記録可能な容量が残っている場合には内蔵フラッシュメモリへの記録が可能であると判断し、ステップＳ１０７へと進む。記録可能な容量が残っていない場合にはステップＳ１０６へと進む。
【００１８】
光学ディスクＤ１にも内蔵フラッシュメモリＦＭ１にも記録不可能であると判断された場合には、利用可能な記録手段は無く、ユーザーに記録の意思は無いと判断され、ステップＳ１０６で省電力モードへ移行するまでの時間を計るための省電タイマーに２分を設定しステップＳ１０８へ進む。本実施例では、標準状態で省電力モードへ移行するまでの時間は５分としており、ユーザーに記録意思が無いと判断した場合にはこの時間を２分としているが、「標準状態での設定時間」＞「記録意思が無いと判断した場合の設定時間」、となるように設定されればどのような値でも良い。
【００１９】
光学ディスクＤ１か内蔵フラッシュメモリＦＭ１のどちらかに記録可能である場合には、ユーザーに記録の意思があると判断され、ステップＳ１０７で省電タイマーに標準状態で省電力モードへ移行するまでの時間して５分が設定され、ステップＳ１０８へ進む。
【００２０】
ステップＳ１０８では、操作スイッチＳＷ１〜ＳＷ４に対して操作が為されたかどうかの確認を行う。操作されていた場合には、省電タイマーをリセットするためにステップＳ１０１へと進み、操作されていなかった場合には、ステップＳ１０９へと進む。
【００２１】
ステップＳ１０９では省電タイマーの値を前回省電タイマーを減算してから経過した時間分だけ（一度も減算が行われていない場合には最後に省電タイマーをセットした時点から経過した時間分だけ）減算を行い、ステップＳ１１０へと進む。
【００２２】
ステップＳ１１０では省電タイマーが０になったかどうかの判断を行う。省電タイマーが０になった場合には省電力モードへの移行時間が経過したと判断し、ステップＳ１１１へと進む。０になっていない場合には、ステップＳ１０８へと戻る。
【００２３】
省電力モードへの以降時間が経過した場合には、ステップＳ１１１でシステムコントロール部Ｂ３によって撮像部Ｃ１、カメラ映像信号処理回路Ｂ１、記録再生データ処理回路Ｂ２、液晶パネルＶ１等への電力供給を停止する処理が行われ、省電力モードへと移行する。本実施例ではこのように、一部ブロックへの電力供給を停止することを省電力モードと見なしているが、これは単純に電源オフ状態への遷移でも良く、標準状態での消費電力よりも少ない電力で動作するモードへと移行するならば、どのような形態でも良い。
【実施例２】
【００２４】
実施例２では、本発明をデジタルビデオカメラの記録モードに適用した場合について説明を行なう。
【００２５】
本実施例のデジタルビデオカメラのブロック図は図１であり、実施例１と同じであるため、説明は省力する。
【００２６】
本実施例では、デジタルビデオカメラがＩＥＥＥ１３９４インターフェースＩＦ１により、外部ハードディスクと接続された場合の動作について説明する。記録モードとして動作している場合に、ＩＥＥＥ１３９４インターフェースによって外部ハードディスクと接続された場合、本実施例でのデジタルビデオカメラは外部機器記録モードとして動作し、動画は外部ハードディスクへ、静止画は内蔵フラッシュメモリへ記録される。外部ハードディスクへの記録が不可能となった場合には、内蔵フラッシュメモリへの記録が可能な状態であったとしても、主たる記録用途が利用不可能であり、ユーザーに記録意図が無いと判断し、省電力モードへ移行するまでの時間を短く設定する。
【００２７】
図３は実施例２のデジタルビデオカメラの制御方法を示すフローチャートである。図３において、デジタルビデオカメラが記録モードで動作している場合にＩＥＥＥ１３９４インターフェースによって外部ハードディスクと接続されると、外部機器記録モードへ移行し、ステップＳ２０１で外部ハードディスクに記録可能な容量が残っているかの判断が行われる。記録可能な容量が残っている場合には外部ハードディスクへの記録が可能であると判断し、ステップＳ２０３へと進む。記録可能な容量が残っていない場合には外部ハードディスクへの記録は不可能と判断され、ステップＳ２０２へと進む。
【００２８】
外部ハードディスクへの記録が不可能と判断された場合には、内蔵フラッシュメモリへの記録が可能かどうかに関わらず、外部機器記録モードでの主たる記録方法が利用出来ないためにユーザーに記録の意思は無いと判断され、ステップＳ２０２で省電力モードへ移行するまでの時間を計るための省電タイマーに２分を設定しステップＳ２０４へ進む。
【００２９】
外部ハードディスクへ記録可能である場合には、ユーザーに記録の意思があると判断され、ステップＳ２０３で省電タイマーに標準状態で省電力モードへ移行するまでの時間して５分が設定され、ステップＳ２０４へ進む。
【００３０】
ステップＳ２０４では、操作スイッチＳＷ１〜ＳＷ４に対して操作が為されたかどうかの確認を行う。操作されていた場合には、省電タイマーをリセットするためにステップＳ２０１へと進み、操作されていなかった場合には、ステップＳ２０５へと進む。
【００３１】
ステップＳ２０５では省電タイマーの値を前回省電タイマーを減算してから経過した時間分だけ（一度も減算が行われていない場合には最後に省電タイマーをセットした時点から経過した時間分だけ）減算を行い、ステップＳ２０６へと進む。
【００３２】
ステップＳ２０６では省電タイマーが０になったかどうかの判断を行う。省電タイマーが０になった場合には省電力モードへの移行時間が経過したと判断し、ステップＳ２０７へと進む。０になっていない場合には、ステップＳ２０４へと戻る。
【００３３】
省電力モードへの以降時間が経過した場合には、ステップＳ２０７でシステムコントロール部Ｂ３によって撮像部Ｃ１、カメラ映像信号処理回路Ｂ１、記録再生データ処理回路Ｂ２、液晶パネルＶ１等への電力供給を停止する処理が行われ、省電力モードへと移行する。
【００３４】
なお、本実施例では外部機器をハードディスクとし、外部機器との接続インターフェースをＩＥＥＥ１３９４であるとしたが、本発明はこれに限定するものではなく、例えば無線ＬＡＮインターフェースとＬＡＮを介してプリンタに映像を配信、出力されるようなものであっても良い。
【実施例３】
【００３５】
実施例３では、本発明をデジタルビデオカメラの再生モードに適用した場合について説明を行なう。
【００３６】
本実施例のデジタルビデオカメラのブロック図は図１であり、実施例１と同じであるため、説明は省力する。
【００３７】
本実施例のデジタルビデオカメラの再生モードは、動画を光学ディスクＤ１から、静止画をカメラ内蔵フラッシュメモリＦＭ１から再生可能であり、そのどちらも利用出来ない状態となった場合に、ユーザーに再生意図が無いと判断し、省電力モードへ移行するまでの時間を短く設定する。
【００３８】
図４は実施例３のデジタルビデオカメラの制御方法を示すフローチャートである。図４において、デジタルビデオカメラの電源が再生モードでオンにされた場合、または他のモードから再生モードへと切り替えられた場合に、ステップＳ３０１で光学ディスクＤ１が装着されているかが確認される。装着されている場合はステップＳ３０２へ進む。装着されていない場合はディスクからの再生は不可能と判断され、ステップＳ３０３へと進み、内蔵フラッシュメモリＦＭ１に関する確認処理が行われる。
【００３９】
ステップＳ３０２では、光学ディスクＤ１に再生可能なデータが存在するかどうかの判断が行われる。再生可能なデータが存在する場合にはディスクからの再生が可能であると判断し、ステップＳ３０５へと進む。再生可能なデータが存在しない場合にはディスクからの再生は不可能と判断され、ステップＳ３０３へと進む。ここで、再生可能なデータが存在するかどうかの判断を厳密に行うには、ディスク内の全てのデータを読み込む必要があり、データ量が多い場合には判断可能となるまでの時間が長くかかりすぎてしまう。本発明ではこの判断方法については言及しないが、例えば全てのファイルの拡張子のみを調べ、その拡張子の種類によって再生可能かどうかを判断しても良い。
【００４０】
光学ディスクＤ１からの再生が不可能と判断された場合には、ステップＳ３０３にて内蔵フラッシュメモリＦＭ１に再生可能なデータが存在するかどうかの判断が行われる。再生可能なデータが存在する場合には内蔵フラッシュメモリからの再生が可能であると判断し、ステップＳ３０５へと進む。再生可能なデータが存在しない場合には内蔵フラッシュメモリからの再生は不可能と判断され、ステップＳ３０４へと進む。
【００４１】
光学ディスクＤ１からも内蔵フラッシュメモリＦＭ１からも再生不可能であると判断された場合には、利用可能な再生手段は無く、ユーザーに再生の意思は無いと判断され、ステップＳ３０４で省電力モードへ移行するまでの時間を計るための省電タイマーに２分を設定しステップＳ３０６へ進む。
【００４２】
光学ディスクＤ１か内蔵フラッシュメモリＦＭ１のどちらかから再生可能である場合には、ユーザーに再生の意思があると判断され、ステップＳ３０５で省電タイマーに標準状態で省電力モードへ移行するまでの時間して５分が設定され、ステップＳ３０６へ進む。
【００４３】
ステップＳ３０６では、操作スイッチＳＷ１〜ＳＷ４に対して操作が為されたかどうかの確認を行う。操作されていた場合には、省電タイマーをリセットするためにステップＳ３０１へと進み、操作されていなかった場合には、ステップＳ３０７へと進む。
【００４４】
ステップＳ３０７では省電タイマーの値を前回省電タイマーを減算してから経過した時間分だけ（一度も減算が行われていない場合には最後に省電タイマーをセットした時点から経過した時間分だけ）減算を行い、ステップＳ３０８へと進む。
【００４５】
ステップＳ３０８では省電タイマーが０になったかどうかの判断を行う。省電タイマーが０になった場合には省電力モードへの移行時間が経過したと判断し、ステップＳ３０９へと進む。０になっていない場合には、ステップＳ３０６へと戻る。
【００４６】
省電力モードへの以降時間が経過した場合には、ステップＳ３０９でシステムコントロール部Ｂ３によって撮像部Ｃ１、カメラ映像信号処理回路Ｂ１、記録再生データ処理回路Ｂ２、液晶パネルＶ１等への電力供給を停止する処理が行われ、省電力モードへと移行する。
【実施例４】
【００４７】
実施例４では、本発明をデジタルビデオカメラの再生モードに適用した場合について説明を行なう。
【００４８】
本実施例のデジタルビデオカメラのブロック図は図１であり、実施例１と同じであるため、説明は省力する。
【００４９】
本実施例では、デジタルビデオカメラがＩＥＥＥ１３９４インターフェースＩＦ１により、外部ハードディスクと接続された場合の動作について説明する。再生モードとして動作している場合に、ＩＥＥＥ１３９４インターフェースによって外部ハードディスクと接続された場合、本実施例でのデジタルビデオカメラは外部機器再生モードとして動作し、動画は外部ハードディスクから、静止画は内蔵フラッシュメモリから再生される。外部ハードディスクからの再生が不可能となった場合には、内蔵フラッシュメモリからの再生が可能な状態であったとしても、主たる再生用途が利用不可能であり、ユーザーに再生意図が無いと判断し、省電力モードへ移行するまでの時間を短く設定する。
【００５０】
図５は実施例４のデジタルビデオカメラの制御方法を示すフローチャートである。図５において、デジタルビデオカメラが再生モードで動作している場合にＩＥＥＥ１３９４インターフェースによって外部ハードディスクと接続されると、外部機器再生モードへ移行し、ステップＳ４０１で外部ハードディスクに再生可能なデータが存在するかの判断が行われる。再生可能なデータが存在する場合には外部ハードディスクからの再生が可能であると判断し、ステップＳ４０３へと進む。再生可能なデータが存在しない場合には外部ハードディスクからの再生は不可能と判断され、ステップＳ４０２へと進む。
【００５１】
外部ハードディスクからの再生が不可能と判断された場合には、内蔵フラッシュメモリからの再生が可能かどうかに関わらず、外部機器再生モードでの主たる記録方法が利用出来ないためにユーザーに再生の意思は無いと判断され、ステップＳ４０２で省電力モードへ移行するまでの時間を計るための省電タイマーに２分を設定しステップＳ４０４へ進む。
【００５２】
外部ハードディスクから再生可能である場合には、ユーザーに再生の意思があると判断され、ステップＳ４０３で省電タイマーに標準状態で省電力モードへ移行するまでの時間して５分が設定され、ステップＳ４０４へ進む。
【００５３】
ステップＳ４０４では、操作スイッチＳＷ１〜ＳＷ４に対して操作が為されたかどうかの確認を行う。操作されていた場合には、省電タイマーをリセットするためにステップ４０１へと進み、操作されていなかった場合には、ステップＳ４０５へと進む。
【００５４】
ステップＳ４０５では省電タイマーの値を前回省電タイマーを減算してから経過した時間分だけ（一度も減算が行われていない場合には最後に省電タイマーをセットした時点から経過した時間分だけ）減算を行い、ステップＳ４０６へと進む。
【００５５】
ステップＳ４０６では省電タイマーが０になったかどうかの判断を行う。省電タイマーが０になった場合には省電力モードへの移行時間が経過したと判断し、ステップＳ４０７へと進む。０になっていない場合には、ステップＳ４０４へと戻る。
【００５６】
省電力モードへの以降時間が経過した場合には、ステップＳ４０７でシステムコントロール部Ｂ３によって撮像部Ｃ１、カメラ映像信号処理回路Ｂ１、記録再生データ処理回路Ｂ２、液晶パネルＶ１等への電力供給を停止する処理が行われ、省電力モードへと移行する。
【００５７】
以上に説明したように、本発明によれば、ユーザーが記録や再生の意思を持ち合わせていないことを、記録媒体が装着されているかどうか、装着された記録媒体に記録可能かどうか等から判断し、省電力モードが働くまでの時間を通常時よりも短く設定することにより、無駄なバッテリーの消費を抑えることが可能である。また想定外の環境で動作し続けてしまうことによる機器の破損、また想定外の環境でユーザーに操作意思の無い誤操作が発生することによる機器の破損を防ぐことが可能である。
【符号の説明】
【００５８】
Ｃ１  撮像部
Ｂ１  カメラ映像信号処理回路
Ｂ２  記録／再生データ処理回路
Ｂ３  システムコントロール部
Ｖ１  液晶パネル
ＦＭ１  内蔵フラッシュメモリ
ＩＦ１  ＩＥＥＥ１３９４インターフェース
Ｄ１  光学ディスク
ＳＷ１〜ＳＷ４  操作スイッチ
【図１】
2011044068.tif 000003
【図２】
2011044068.tif 000004
【図３】
2011044068.tif 000005
【図４】
2011044068.tif 000006
【図５】
2011044068.tif 000007